(57)【要約】      （修正有）【課題】座れるベビーウォーカーとキックスクーターを両用する多機能ベビーカーを提供する。【解決手段】多機能ベビーカーは、ヘッドチューブ部品１と、フレーム板２と、フレーム管部品４と、プルピン位置決め装置３と、快速切替装置５とを備え、ヘッドチューブ部品はフロントタイヤ１１と、ハンドル１３と、ヘッドチューブ１２とを備え、フレーム管部品はリアタイヤ４２と、フレーム管４１とを備え、ヘッドチューブ部品がプルピン位置決め装置でフレーム板と固定連接され、フレーム板とフレーム管部品が快速切替装置でヘッドチューブ部品に対して上下に滑動可能となるように連接される。プルピン位置決め装置及び快速切替装置により、座れるベビーウォーカーとキックスクーターに互いに転換することができ、簡単な操作で両用できる。【選択図】図１
0003197918.tif 000002
【実用新案登録請求の範囲】
【請求項１】
多機能ベビーカーはヘッドチューブ部品と、フレーム板と、フレーム管部品とを備え、当該ヘッドチューブ部品はフロントタイヤと、ハンドルと、ヘッドチューブとを備え、当該フレーム管部品はリアタイヤと、フレーム管とを備え、当該ヘッドチューブ部品がプルピン位置決め装置でフレーム板と固定されて連接され、当該フレーム板が快速切替装置で当該フレーム管部品と活動可能に連接される、ことを特徴とする多機能ベビーカー。
【請求項２】
前記ヘッドチューブに上位置決め孔、下位置決め孔、上位置決めリング及び下位置決めリングが設けられる、ことを特徴とする請求項1に記載の多機能ベビーカー。
【請求項３】
前記フレーム板の前端にスリーブが設けられ、当該スリーブが前記ヘッドチューブに套接され、且つ当該ヘッドチューブと互いに配合され、当該スリーブに凹槽面が設けられ、当該凹槽面に埋め込み穴が設けられ、当該埋め込み穴から当該スリーブの上端の面までの距離は前記上位置決め孔から前記上位置決めリングまでの距離と同じであり、当該埋め込み穴から当該スリーブの下端の面までの距離は前記下位置決め孔から前記下位置決めリングまでの距離と同じである、ことを特徴とする請求項2に記載の多機能ベビーカー。
【請求項４】
前記プルピン位置決め装置はプルピン桿と、プルピンブロックと、プルピンばねと、プルピン取っ手とを備え、当該プルピンブロックが前記スリーブに固定され、当該プルピンブロックに小さい孔が設けられ、当該プルピン桿の形は中央が大きくて両端が小さい円柱であり、当該プルピン桿の一端が当該プルピンブロックのある小さい孔と配合され、別の一端が前記ヘッドチューブにある位置決め孔及び当該スリーブにある埋め込み穴と互いに配合され、当該プルピンばねが当該プルピン桿にかけられ、且つ当該プルピン桿と当該プルピンブロックとの間に置かれ、当該プルピン桿が当該プルピン取っ手に固定されて連接される、ことを特徴とする請求項1に記載の多機能ベビーカー。
【請求項５】
前記フレーム板はフレーム板本体と、当該フレーム板本体の両側にある側板とを備え、当該側板に軸孔一が設けられる、ことを特徴とする請求項1に記載の多機能ベビーカー。
【請求項６】
前記フレーム管は細長いチューブと、当該細長いチューブの端部に位置されて垂直に交差されるカラムとを備え、当該カラムの二つの底面に軸孔二が設けられ、当該カラムの円周面に開け口が設けられ、当該細長いチューブに位置制限長孔一が設けられる、ことを特徴とする請求項1に記載の多機能ベビーカー。
【請求項７】
前記快速切替装置はボタンと、引張りばねと、支柱と、クイックリリースボルトと、クイックリリースナットと、ロックボルトと、ロックナットとを備え、当該ロックボルトが前記側板にある軸孔一及び前記カラムにある軸孔二に配合され、当該ロックナットと当該ロックボルトがねじ山で連接され、当該ボタンに位置制限長孔二が設けられ、当該位置制限長孔二から当該ボタン右端の面までの距離は当該カラムの軸孔二から前記細長いチューブの位置制限長孔一までの距離と同じであり、当該ロックボルトが当該ボタンの位置制限長孔を通過され、且つ当該ボタンが当該カラム円周面の開け口の中に挿し入れられ、当該ボタン内に当該引張りばねが置かれ、当該支柱が前記フレーム板本体に固定されて連接され、当該支柱の両側にU字形位置決め孔が設けられ、当該クイックリリースナットが当該U字形位置決め孔及び当該細長いチューブの位置制限長孔一を通過され、当該クイックリリースボルトと当該クイックリリースナットがねじ山で連接される、ことを特徴とする請求項1に記載の多機能ベビーカー。
【請求項８】
前記快速切替装置はプラスチック軸受を備え、当該プラスチック軸受が前記ロックボルトと配合され、当該プラスチック軸受が前記カラムの底面と前記側板との間に設けられる、ことを特徴とする請求項7に記載の多機能ベビーカー。
【考案の詳細な説明】
【技術分野】
【０００１】
本考案は、多機能ベビーカーに関するものである。
【背景技術】
【０００２】
現在、市場に座れるベビーウォーカーがたくさんあり、キックスクーターもたくさんあり、子供はいつも同時に両方を持つように希望し、でもそうしたら両方のお金を支払う必要があり、且つ外出する時に一緒に携帯することが不便であり、収納する場合にも空間を占める。
【考案の概要】
【考案が解決しようとする課題】
【０００３】
ベビーカーの機能が単一である問題について、現在に有効な解決方法がまだ提出されていない。
【課題を解決するための手段】
【０００４】
そこで、上記の問題点に対して、本考案は、座れるベビーウォーカーとキックスクーターを両用する多機能ベビーカーを提供することを目的とする。
【０００５】
本考案の技術は下記のように実現する。
【０００６】
前記問題点を解決でき、上記目的を達成するために、本考案の多機能ベビーカーは、ヘッドチューブ部品と、フレーム板と、フレーム管部品とを備え、当該ヘッドチューブ部品はフロントタイヤと、ハンドルと、ヘッドチューブとを備え、当該フレーム管部品はリアタイヤと、フレーム管とを備え、当該ヘッドチューブ部品がプルピン位置決め装置でフレーム板と固定されて連接され、当該フレーム板が快速切替装置で当該フレーム管部品と活動可能に連接される。
【０００７】
前記ヘッドチューブに上位置決め孔、下位置決め孔、上位置決めリング及び下位置決めリングが設けられ、当該位置決め孔が同じ母線に位置され、且つ固定距離を有し、前記フレーム板の前端にスリーブが設けられ、当該スリーブが前記ヘッドチューブに套接され、且つ当該ヘッドチューブと互いに配合され、当該スリーブに凹槽面が設けられ、当該凹槽面に埋め込み穴が設けられ、当該埋め込み穴から当該スリーブの上端の面までの距離は前記上位置決め孔から前記上位置決めリングまでの距離と同じであり、当該埋め込み穴から当該スリーブの下端の面までの距離は前記下位置決め孔から前記下位置決めリングまでの距離と同じであることが好ましい。
【０００８】
前記プルピン位置決め装置はプルピン桿と、プルピンブロックと、プルピンばねと、プルピン取っ手とを備え、当該プルピンブロックが前記スリーブに固定され、当該プルピンブロックに小さい孔が設けられ、当該プルピン桿の形は中央が大きくて両端が小さい円柱であり、当該プルピン桿の一端が当該プルピンブロックのある小さい孔と配合され、別の一端が前記ヘッドチューブにある位置決め孔及び当該スリーブにある埋め込み穴と互いに配合され、当該プルピンばねが当該プルピン桿にかけられ、且つ当該プルピン桿と当該プルピンブロックとの間に置かれ、当該プルピン桿が当該プルピン取っ手に固定されて連接されることが好ましい。
【０００９】
前記フレーム板はフレーム板本体と、当該フレーム板本体の両側にある側板とを備え、当該側板に軸孔一が設けられ、前記フレーム管は細長いチューブと、当該細長いチューブの端部に位置されて垂直に交差されるカラムとを備え、当該カラムの二つの底面に軸孔二が設けられ、当該カラムの円周面に開け口が設けられ、当該細長いチューブに位置制限長孔一が設けられることが好ましい。
【００１０】
前記快速切替装置はボタンと、引張りばねと、支柱と、クイックリリースボルトと、クイックリリースナットと、ロックボルトと、ロックナットとを備え、当該ロックボルトが前記側板にある軸孔一及び前記カラムにある軸孔二に配合され、当該ロックナットと当該ロックボルトがねじ山で連接され、当該ボタンに位置制限長孔二が設けられ、当該位置制限長孔二から当該ボタン右端の面までの距離は当該カラムの軸孔二から前記細長いチューブの位置制限長孔一までの距離と同じであり、当該ロックボルトが当該ボタンの位置制限長孔を通過され、且つ当該ボタンが当該カラム円周面の開け口の中に挿し入れられ、当該ボタン内に当該引張りばねが置かれ、当該支柱が前記フレーム板本体に固定されて連接され、当該支柱の両側にU字形位置決め孔が設けられ、当該クイックリリースナットが当該U字形位置決め孔及び当該細長いチューブの位置制限長孔一を通過され、当該クイックリリースボルトと当該クイックリリースナットがねじ山で連接されることが好ましい。
【００１１】
前記快速切替装置はプラスチック軸受を備え、当該プラスチック軸受が前記ロックボルトと配合され、当該プラスチック軸受が前記カラムの底面と前記側板との間に設けられることが好ましい。
【考案の効果】
【００１２】
本考案の効果は、プルピン位置決め装置及び快速切替装置により、ベビーカーが座れるベビーウォーカーやキックスクーターに互いに転換されることができ、簡単な操作で座れるベビーウォーカーとキックスクーターを両用するベビーカーになることである。
【図面の簡単な説明】
【００１３】
【図１】：本考案の多機能ベビーカーを示す分解図
【図２】：本考案のプルピン位置決め装置の構造を示す第一図
【図３】：本考案のプルピン位置決め装置の構造を示す第二図
【図４】：本考案のプルピン位置決め装置の構造を示す第三図
【図５】：本考案のクイックリリース装置の構造を示す第一図
【図６】：本考案のクイックリリース装置の構造を示す第二図
【図７】：本考案のクイックリリース装置の構造を示す第三図
【図８】：本考案の多機能ベビーカーの座れるベビーウォーカー状態を示す図
【図９】：本考案の多機能ベビーカーのキックスクーター状態を示す図
【考案を実施するための形態】
【００１４】
以下、本考案の実施の形態について、図面を参照して詳細に説明する。
【００１５】
図1乃至図7に示すように、本考案の多機能ベビーカーは、ヘッドチューブ部品1と、フレーム板2と、フレーム管部品4と、プルピン位置決め装置3と、快速切替装置5とを備え、その中に、当該フレーム管部品4はリアタイヤ42と、フレーム管41とを備え、当該ヘッドチューブ部品1はフロントタイヤ11と、ハンドル13と、ヘッドチューブ12とを備え、当該ヘッドチューブ12に上位置決め孔、下位置決め孔、上位置決めリング及び下位置決めリングが設けられ、当該位置決め孔が同じ母線に位置され、且つ固定距離を有し、当該フレーム板2の前端にスリーブ21が設けられ、当該スリーブ21が当該ヘッドチューブ12に套接され、且つ当該ヘッドチューブ12と互いに配合され、当該スリーブ21に凹槽面が設けられ、当該凹槽面に埋め込み穴が設けられ、当該埋め込み穴から当該スリーブ21の上端の面までの距離は当該上位置決め孔から当該上位置決めリングまでの距離と同じであり、当該埋め込み穴から当該スリーブ21の下端の面までの距離は当該下位置決め孔から当該下位置決めリングまでの距離と同じであり、当該フレーム板2はフレーム板本体22と、当該フレーム板本体22の両側にある側板23とを備え、当該側板23に軸孔一が設けられ、当該フレーム管41は細長いチューブ412と、当該細長いチューブ412の端部に位置されて垂直に交差されるカラム411とを備え、当該カラム411の二つの底面に軸孔二が設けられ、当該カラム411の円周面に開け口が設けられ、当該細長いチューブ412に位置制限長孔一が設けられる。
【００１６】
前記プルピン位置決め装置3はプルピン桿31と、プルピンブロック33と、プルピンばね32と、プルピン取っ手34とを備え、当該プルピンブロック33が前記スリーブ21に固定され、当該プルピンブロック33に小さい孔が設けられ、当該プルピン桿31の形は中央が大きくて両端が小さい円柱であり、当該プルピン桿31の一端が当該プルピンブロック33のある小さい孔と配合され、別の一端が前記ヘッドチューブ12にある位置決め孔及び当該スリーブ21にある埋め込み穴と互いに配合され、当該プルピンばね32が当該プルピン桿31にかけられ、且つ当該プルピン桿31と当該プルピンブロック33との間に置かれ、当該プルピン桿31が当該プルピン取っ手34に固定されて連接される。
【００１７】
前記快速切替装置5は支柱51と、クイックリリースナット52と、クイックリリースボルト53と、引張りばね54と、プラスチック軸受55と、ロックボルト56と、ボタン57と、ロックナット58とを備え、当該ロックボルト56が前記側板23にある軸孔一及び前記カラム411にある軸孔二に配合され、当該ロックナット58と当該ロックボルト56がねじ山で連接され、当該プラスチック軸受55が前記ロックボルト56と配合され、当該プラスチック軸受55が当該カラム411の底面と当該側板23との間に設けられ、当該ボタン57に位置制限長孔二が設けられ、当該位置制限長孔二から当該ボタン57右端の面までの距離は当該カラム411の軸孔二から前記細長いチューブ412の位置制限長孔一までの距離と同じであり、当該ロックボルト56が当該ボタン57の位置制限長孔を通過され、且つ当該ボタン57が当該カラム411円周面の開け口の中に挿し入れられ、当該ボタン57内に当該引張りばね54が置かれ、当該支柱51が前記フレーム板本体22に固定されて連接され、当該支柱51の両側にU字形位置決め孔が設けられ、当該クイックリリースナット53が当該U字形位置決め孔及び当該細長いチューブ412の位置制限長孔一を通過され、当該クイックリリースボルト53と当該クイックリリースナット52がねじ山で連接される。
【００１８】
図2乃至図4に示すように、前記プルピン定位装置3は作業する時、まず前記プルピン取っ手34が引かれ、当該プルピン取っ手34で前記プルピン桿31が動かされて前記ヘッドチューブ12にある上位置決め孔から後に出され、且つ前記プルピンばね32が圧縮され、この時、前記フレーム板2は前記ヘッドチューブ部品1に対して滑動するようになり、前記スリーブ21下端の面が当該ヘッドチューブ12の下位置決めリングに接触される時、下位置決めリングが当該スリーブ21にある埋め込み穴に合わせられ、当該プルピンばね32の作用により、当該プルピン桿31が下位置決め孔に挿し入れられ、当該フレーム板2が当該ヘッドチューブ部品1と固定されて連接される。
【００１９】
図5乃至図7に示すように、前記快速切替装置5は作業する時、まず前記ボタン57が押され、当該ボタン57で前記クイックリリースボルト53が押されて前記支柱51のU字形位置決め孔の位置制限から押し出され、この時、前記フレーム板2は前記フレーム管部品4に対して回転するようになり、当該支柱51の別の位置制限位置の回転される時、前記引張りばね54で当該ボタン57が初期位置に戻り、そして当該クイックリリースボルト53が別の位置制限位置に入れて制限される。
【００２０】
図8乃至図9に示すように、前記プルピン定位装置3及び前記快速切替装置5により、多機能ベビーカーが座れるベビーウォーカーとキックスクーターとの変換されることが実現される。
【００２１】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２２】
1    ヘッドチューブ部品          41   フレーム管
11   フロントタイヤ              411  カラム
12   ヘッドチューブ              412  細長いチューブ
13   ハンドル                    42   リアタイヤ
2    フレーム板                  5    快速切替装置
21   スリーブ                    51   支柱
22   フレーム板本体              52   クイックリリースナット
23   側板                        53   クイックリリースボルト
3    プルピン位置決め装置        54   引張りばね
31   プルピン桿                  55   プラスチック軸受
32   プルピンばね                56   ロックボルト
33   プルピンブロック            57   ボタン
34   プルピン取っ手              58   ロックナット
4    フレーム管部品
【図１】
0003197918.tif 000003
【図２】
0003197918.tif 000004
【図３】
0003197918.tif 000005
【図４】
0003197918.tif 000006
【図５】
0003197918.tif 000007
【図６】
0003197918.tif 000008
【図７】
0003197918.tif 000009
【図８】
0003197918.tif 000010
【図９】
0003197918.tif 000011
【手続補正書】
【提出日】平成27年3月30日(2015.3.30)
【手続補正１】
【補正対象書類名】実用新案登録請求の範囲
【補正対象項目名】全文
【補正方法】変更
【補正の内容】
【実用新案登録請求の範囲】
【請求項１】
多機能ベビーカーはヘッドチューブ部品と、フレーム板と、フレーム管部品とを備え、当該ヘッドチューブ部品はフロントタイヤと、ハンドルと、ヘッドチューブとを備え、当該フレーム管部品はリアタイヤと、フレーム管とを備え、当該ヘッドチューブ部品がプルピン位置決め装置でフレーム板と固定されて連接され、当該フレーム板が快速切替装置で当該フレーム管部品と活動可能に連接される、ことを特徴とする多機能ベビーカー。
【請求項２】
前記ヘッドチューブに上位置決め孔、下位置決め孔、上位置決めリング及び下位置決めリングが設けられる、ことを特徴とする請求項1に記載の多機能ベビーカー。
【請求項３】
前記フレーム板の前端にスリーブが設けられ、当該スリーブが前記ヘッドチューブに套接され、且つ当該ヘッドチューブと互いに配合され、当該スリーブに凹槽面が設けられ、当該凹槽面に埋め込み穴が設けられ、当該埋め込み穴から当該スリーブの上端の面までの距離は前記上位置決め孔から前記上位置決めリングまでの距離と同じであり、当該埋め込み穴から当該スリーブの下端の面までの距離は前記下位置決め孔から前記下位置決めリングまでの距離と同じである、ことを特徴とする請求項2に記載の多機能ベビーカー。
【請求項４】
前記プルピン位置決め装置はプルピン桿と、プルピンブロックと、プルピンばねと、プルピン取っ手とを備え、当該プルピンブロックが前記スリーブに固定され、当該プルピンブロックに小さい孔が設けられ、当該プルピン桿の形は中央が大きくて両端が小さい円柱であり、当該プルピン桿の一端が当該プルピンブロックのある小さい孔と配合され、別の一端が前記ヘッドチューブにある位置決め孔及び当該スリーブにある埋め込み穴と互いに配合され、当該プルピンばねが当該プルピン桿にかけられ、且つ当該プルピン桿と当該プルピンブロックとの間に置かれ、当該プルピン桿が当該プルピン取っ手に固定されて連接される、ことを特徴とする請求項３に記載の多機能ベビーカー。
【請求項５】
前記フレーム板はフレーム板本体と、当該フレーム板本体の両側にある側板とを備え、当該側板に軸孔一が設けられる、ことを特徴とする請求項1に記載の多機能ベビーカー。
【請求項６】
前記フレーム管は細長いチューブと、当該細長いチューブの端部に位置されて垂直に交差されるカラムとを備え、当該カラムの二つの底面に軸孔二が設けられ、当該カラムの円周面に開け口が設けられ、当該細長いチューブに位置制限長孔一が設けられる、ことを特徴とする請求項５に記載の多機能ベビーカー。
【請求項７】
前記快速切替装置はボタンと、引張りばねと、支柱と、クイックリリースボルトと、クイックリリースナットと、ロックボルトと、ロックナットとを備え、当該ロックボルトが前記側板にある軸孔一及び前記カラムにある軸孔二に配合され、当該ロックナットと当該ロックボルトがねじ山で連接され、当該ボタンに位置制限長孔二が設けられ、当該位置制限長孔二から当該ボタン右端の面までの距離は当該カラムの軸孔二から前記細長いチューブの位置制限長孔一までの距離と同じであり、当該ロックボルトが当該ボタンの位置制限長孔を通過され、且つ当該ボタンが当該カラム円周面の開け口の中に挿し入れられ、当該ボタン内に当該引張りばねが置かれ、当該支柱が前記フレーム板本体に固定されて連接され、当該支柱の両側にU字形位置決め孔が設けられ、当該クイックリリースナットが当該U字形位置決め孔及び当該細長いチューブの位置制限長孔一を通過され、当該クイックリリースボルトと当該クイックリリースナットがねじ山で連接される、ことを特徴とする請求項６に記載の多機能ベビーカー。
【請求項８】
前記快速切替装置はプラスチック軸受を備え、当該プラスチック軸受が前記ロックボルトと配合され、当該プラスチック軸受が前記カラムの底面と前記側板との間に設けられる、ことを特徴とする請求項7に記載の多機能ベビーカー。